(57)【特許請求の範囲】
【請求項１】
一側面に第１開口および第２開口が形成された筐体と、
前記筐体内に配置される単一の感光ドラムと、
前記筐体内に配置され、前記感光ドラムを露光する単一の露光部材と、
第１軸を中心として回動し、前記第１開口を閉鎖する第１位置と、前記第１開口を開放する第２位置との間を移動する第１カバーと、
第２軸を中心として回動し、前記第２開口を閉鎖する第３位置と、前記第２開口を開放する第４位置との間を移動する第２カバーと、
内部に現像剤を収容し、前記第２開口を介して前記筐体に着脱可能なカートリッジと、を備え、
前記露光部材は、
前記第１カバーの移動に伴って、前記第１開口を介して、前記感光ドラムを露光する位置である照射位置と、前記照射位置よりも前記感光ドラムから離れる退避位置との間を移動可能であり、かつ、前記第１カバーが前記第１位置に配置されるときに前記照射位置に配置され、前記第１カバーが前記第２位置に配置されるときに前記退避位置に配置され、
前記第１カバーは、前記第１カバーが前記第１位置に配置され、かつ、前記第２カバーが前記第３位置に配置されるときに、前記第２カバーの前記第３位置から前記第４位置への移動を規制する第１規制部を備え、
前記第１開口と前記第２開口とは、前記筐体の一側面において上下方向に並んで配置され、前記第１カバーと前記第２カバーとは、前記筐体の一側面において上下方向に並んで配置され、
前記第１カバーは、前記第２カバーよりも上方に配置され、
前記第１軸は、前記第１カバーが前記第１位置に配置される状態において、前記第１カバーの上端部に設けられ、前記第２軸は、前記第２カバーが前記第３位置に配置される状態において、前記第２カバーの下端部に設けられており、
前記筐体は、前記露光部材を案内する露光部材ガイドと、前記カートリッジを案内するカートリッジガイドとを備え、
前記露光部材ガイドは、前記一側面に向かって上方向へ延び、前記カートリッジガイドは、前記一側面に向かって下方向へ延び、
前記露光部材は、前記第１カバーが前記第２位置に配置されたときに、前記露光部材ガイドに配置された状態であることを特徴とする、画像形成装置。
【請求項２】
前記筐体は、画像が形成された記録媒体を排紙するための排紙部を備え、
前記排紙部は、前記筐体の一側面側に向かって記録媒体が排紙されることを特徴とする請求項１に記載の画像形成装置。
【請求項３】
前記排紙部は、前記筐体の上側に配置されることを特徴とする、請求項２に記載の画像形成装置。
【請求項４】
前記排紙部は、前記筐体の一側面よりも外側まで延設され、
前記第１カバーは、前記排紙部よりも下側に配置され、
前記第１カバーの前記第１軸と反対側の遊端部は、前記第２位置に配置されるとき、前記排紙部に近づく方向に移動されることを特徴とする、請求項３に記載の画像形成装置。
【請求項５】
前記第１カバーの上下方向における大きさは、前記第２カバーの上下方向における大きさよりも小さいことを特徴とする、請求項３または４に記載の画像形成装置。
【請求項６】
前記第１開口と前記第２開口とは、連通していることを特徴とする、請求項１ないし５のいずれか一項に記載の画像形成装置。
【請求項７】
前記第１規制部は、
前記第１カバーが前記第１位置に配置される状態における前記第２開口側の遊端部であり、
前記第１カバーが前記第１位置に配置され、かつ、前記第２カバーが前記第３位置に配置される状態において、前記カートリッジの前記第２開口を介する着脱方向において前記第２カバーと重なることを特徴とする、請求項１ないし６のいずれか一項に記載の画像形成装置。
【請求項８】
前記カートリッジガイドは、前記第２開口に向かって延びていることを特徴とする、請求項１ないし７のいずれか一項に記載の画像形成装置。
【請求項９】
前記第２カバーが前記第３位置に配置される状態において、前記第２カバーの前記第３位置から前記第４位置への移動を規制する規制位置と、その規制を解除する解除位置との間を移動可能な第２規制部をさらに備え、
前記第２規制部は、前記第１カバーが前記第２位置に配置されるときに、前記規制位置から前記解除位置に移動することを特徴とする、請求項１ないし８のいずれか一項に記載の画像形成装置。
【請求項１０】
前記第１カバーにおける前記第１位置と前記第２位置との間の移動と、前記第２カバーにおける前記第３位置と前記第４位置との間の移動とを連動させる連動部をさらに備えることを特徴とする、請求項１ないし８のいずれか一項に記載の画像形成装置。
【請求項１１】
前記露光部材を制御する制御基板をさらに備え、
前記制御基板は、前記第１カバーに支持されることを特徴とする、請求項１ないし８のいずれか一項に記載の画像形成装置。
【請求項１２】
前記露光部材は、前記退避位置に配置される状態において、少なくとも一部が前記筐体内に配置されることを特徴とする、請求項１ないし１１のいずれか一項に記載の画像形成装置。
【請求項１３】
前記感光ドラムは、
前記カートリッジに備えられ、
前記カートリッジと一体的に前記筐体に着脱されることを特徴とする、請求項１ないし１２のいずれか一項に記載の画像形成装置。
【発明の詳細な説明】
【技術分野】
【０００１】
本発明は、電子写真方式が採用される画像形成装置に関する。
【背景技術】
【０００２】
従来より、装置本体に着脱可能に収容され、感光体を備えるプロセスカートリッジと、感光体を露光するように構成される露光手段とを備える画像形成装置が知られている。
【０００３】
このような画像形成装置として、露光手段としてＬＥＤアレイを備える画像形成装置が知られている。ＬＥＤアレイは、感光体に対して近接して配置する必要があることから、プロセスカートリッジを着脱する際に、ＬＥＤアレイとプロセスカートリッジとが干渉するおそれがある。そのため、ＬＥＤアレイヘッドと、ＬＥＤアレイヘッドを支持し、装置本体に回転可能に支持される外装カバーとを備える画像形成装置が提案されている（例えば、特許文献１参照）。
【０００４】
この画像形成装置において、装置本体からプロセスカートリッジを離脱させるときには、作業者は、まず、外装カバーを装置本体から離れるように回転させる。すると、外装カバーとともにＬＥＤアレイヘッドが感光体から離れるように移動する。そして、作業者は、ＬＥＤアレイヘッドが装置本体から離れた状態において、装置本体からプロセスカートリッジを離脱させる。また、装置本体にプロセスカートリッジを装着した後、外装カバーを装置本体に向けて回転させると、ＬＥＤアレイヘッドと感光体とが近接するように配置される。
【先行技術文献】
【特許文献】
【０００５】
【特許文献１】特開平５−２４９７６７号公報
【発明の概要】
【発明が解決しようとする課題】
【０００６】
しかるに、上記特許文献１に記載の画像形成装置では、外装カバーの上側にＬＥＤアレイヘッドを支持させ、かつ、外装カバーの下側によって、装置本体におけるプロセスカートリッジの通過口を開閉する。そのため、外装カバーは大きく構成される。その結果、外装カバーを開放した状態においては、外装カバーによって、プロセスカートリッジの視認性が低下するという不具合がある。
【０００７】
そこで、本発明の目的は、露光部材がカートリッジの着脱作業の妨げになることを抑制でき、かつ、露光部材によって感光ドラムを確実に露光できながら、着脱作業におけるカートリッジの視認性を向上できる画像形成装置を提供することにある。
【課題を解決するための手段】
【０００８】
（１）上記目的を達成するために、本発明の画像形成装置は、一側面に第１開口および第２開口が形成された筐体と、筐体内に配置される感光ドラムと、筐体内に配置され、感光ドラムを露光する露光部材と、第１軸を中心として回動し、第１開口を閉鎖する第１位置と、第１開口を開放する第２位置との間を移動する第１カバーと、第２軸を中心として回動し、第２開口を閉鎖する第３位置と、第２開口を開放する第４位置との間を移動する第２カバーと、内部に現像剤を収容し、第２開口を介して筐体に着脱可能なカートリッジと、を備える。露光部材は、第１カバーの移動に伴って、第１開口を介して、感光ドラムを露光する位置である照射位置と、照射位置よりも感光ドラムから離れる退避位置との間を移動可能であり、かつ、第１カバーが第１位置に配置されるときに照射位置に配置され、第１カバーが第２位置に配置されるときに退避位置に配置される。画像形成装置は、第１カバーは、第１カバーが第１位置に配置され、かつ、第２カバーが第３位置に配置されるときに、第２カバーの第３位置から第４位置への移動を規制する第１規制部を備える。
【０００９】
このような構成によれば、第１カバーを第１位置から第２位置に移動させることにより、露光部材を照射位置から退避位置に移動させることができる。そして、露光部材を退避位置に配置させてから、第２カバーを第３位置から第４位置に移動し、筐体に対してカートリッジを着脱すれば、露光部材がカートリッジの着脱作業の妨げになることを抑制できる。
【００１０】
また、筐体にカートリッジを装着した状態において、第１カバーを第１位置に配置すれば、筐体内にカートリッジを配置しつつ、露光部材を照射位置に配置できる。
【００１１】
そのため、露光部材によって、カートリッジの感光ドラムを確実に露光できる。
【００１２】
また、画像形成装置は、第１カバーおよび第２カバーの２つのカバーを備える。
【００１３】
そのため、画像形成装置が１つのカバーのみを備える場合に比べて、第１カバーおよび第２カバーのそれぞれを小さく構成できる。
【００１４】
その結果、第１カバーおよび第２カバーを開放したとき、すなわち、着脱作業におけるカートリッジの視認性を向上できる。
【００１５】
また、第１規制部は、第１カバーが第１位置に配置される状態において、第２カバーが第３位置から第４位置に向かって移動することを規制する。すなわち、第２カバーは、第１カバーが第１位置から第２位置に向かって移動した後でなければ、第３位置から第４位置に向かって移動することができない。
【００１６】
そのため、露光部材が照射位置に配置される状態において、カートリッジが着脱されることを確実に防止できる。
（２）また、第１開口と第２開口とは、筐体の一側面において上下方向に並んで配置されてもよい。第１カバーと第２カバーとは、筐体の一側面において上下方向に並んで配置されてもよい。
【００１７】
このような構成によれば、第１カバーおよび第２カバーの開閉作業を容易に行うことができる。
（３）また、筐体は、画像が形成された記録媒体を排紙するための排紙部を備えてもよい。排紙部は、筐体の一側面側に向かって記録媒体が排紙されてもよい。
【００１８】
画像形成装置において、排紙部が、筐体の一側面側以外の方向に向かって記録媒体が排紙される構成である場合には、第１カバーおよび第２カバーに対する作業は、筐体の一側面に向かい合って行う一方、排紙部において排紙された記録媒体の取り出し作業は、筐体の一側面以外に向き合って行う必要がある。そのため、画像形成装置における操作性が低くなるという不具合がある。
【００１９】
一方、上記した構成によれば、第１カバーおよび第２カバーに対する作業に加えて、排紙された記録媒体の取り出し作業も、筐体の一側面に向き合って行うことができる。
【００２０】
そのため、画像形成装置における操作性を向上できる。
（４）また、第１カバーは、第２カバーよりも上方に配置されてもよい。排紙部は、筐体の上側に配置されてもよい。
【００２１】
このような構成によれば、排紙部および第１カバーへの作業を上方から行うことができる。
【００２２】
そのため、画像形成装置における操作性を一層向上できる。
（５）また、第１カバーの上下方向における大きさは、第２カバーの上下方向における大きさよりも小さくてもよい。
【００２３】
このような構成によれば、第１カバーを開放したときのカートリッジの視認性を向上できる。
（６）また、第１軸は、第１カバーが第１位置に配置される状態において、第１カバーの上端部に設けられてもよい。第２軸は、第２カバーが第３位置に配置される状態において、第２カバーの下端部に設けられてもよい。
【００２４】
このような構成によれば、第１開口および第２開口を開放するときは、第１カバーと第２カバーとを離れるように移動させ、第１開口および第２開口を閉鎖するときは、第１カバーと第２カバーとを近づくように移動させることができる。
【００２５】
そのため、第１カバーを開放した状態においては、第１カバーが露光部材の上部を覆う。
【００２６】
その結果、第１カバーが露光部材の目隠しとなったり、埃よけの役割を果たしたりすることができる。
【００２７】
また、第２カバーを開放した状態においては、第２カバーがカートリッジのガイドとしての役割を果たすことができる。
（７）また、第１開口と第２開口とは、連通していてもよい。
【００２８】
このような構成によれば、第１カバーと第２カバーとを開放することにより、第１開口と第２開口とが連通した１つの大きな開口を形成できる。
【００２９】
その結果、筐体に対してカートリッジを容易に着脱できる。
（８）また、第１規制部は、第１カバーが第１位置に配置される状態における第２開口側の遊端部であり、第１カバーが第１位置に配置され、かつ、第２カバーが第３位置に配置される状態において、カートリッジの第２開口を介する着脱方向において第２カバーと重なってもよい。
【００３０】
このような構成によれば、簡易な構成で、第２カバーの第３位置から第４位置への移動を規制できる。
（９）また、筐体は、カートリッジの着脱をガイドするガイド部をさらに備えてもよい。ガイド部は、第１開口に向かって延びていてもよい。
【００３１】
このような構成によれば、ガイド部に沿って、筐体に対してカートリッジを容易に着脱できる。
（１０）また、画像形成装置は、第２カバーが第３位置に配置される状態において、第２カバーの第３位置から第４位置への移動を規制する規制位置と、その規制を解除する解除位置との間を移動可能な第２規制部をさらに備えてもよい。第２規制部は、第１カバーが第２位置に配置されるときに、規制位置から解除位置に移動してもよい。
【００３２】
このような構成によれば、第１カバーが第１位置から第２位置に配置されるまでの間、すなわち、露光部材が照射位置から退避位置に配置されるまでの間において、第２カバーが第３位置から第４位置に向かって移動することを、第２規制部によって規制できる。
【００３３】
そのため、カートリッジの着脱作業において、カートリッジと露光部材とが干渉することを防止できる。
【００３４】
その結果、露光部材がカートリッジの着脱作業の妨げになることを一層抑制できる。
（１１）また、画像形成装置は、第１カバーにおける第１位置と第２位置との間の移動と、第２カバーにおける第３位置と第４位置との間の移動とを連動させる連動部をさらに備えてもよい。
【００３５】
このような構成によれば、第２カバーが第３位置から第４位置に移動するときには、連動部によって、第１カバーを確実に第１位置から第２位置に移動させることができる。
（１２）また、画像形成装置は、露光部材を制御する制御基板をさらに備えてもよい。制御基板は、第１カバーに支持されてもよい。
【００３６】
このような構成によれば、露光部材と制御基板との間の電気的な接続距離を短くできる。
【００３７】
そのため、制御基板による露光部材の制御において、ノイズの発生を低減できる。
（１３）また、露光部材は、退避位置に配置される状態において、少なくとも一部が筐体内に配置されてもよい。
【００３８】
このような構成によれば、露光部材が作業者に触れられることを抑制できる。
（１４）また、感光ドラムは、カートリッジに備えられ、カートリッジと一体的に筐体に着脱されてもよい。
【００３９】
このような構成によれば、筐体に対してカートリッジを着脱することにより、筐体に対して感光ドラムを着脱できる。
【００４０】
そのため、筐体からカートリッジを着脱させた状態において、感光ドラムを交換することにより、感光ドラムを容易に交換できる。
【発明の効果】
【００４１】
本発明の画像形成装置では、露光部材がカートリッジの着脱作業の妨げになることを抑制でき、かつ、露光部材によって感光ドラムを確実に露光できながら、視認性を向上できる。
【図面の簡単な説明】
【００４２】
【図１】図１は、本発明の第１実施形態のプリンタの中央断面図であって、第１カバーが第１位置に配置され、第２カバーが第３位置に配置される状態を示す。
【図２】図２Ａは、図１に示すプリンタにおいて、第１カバーが第２位置に配置され、第２カバーが第３位置に配置される状態を示す中央断面図である。図２Ｂは、図１に示すプリンタにおいて、第１カバーが第２位置に配置され、第２カバーが第４位置に配置される状態を示す中央断面図である。
【図３】図３Ａは、図１に示すプリンタにおいて、第１カバーが第２位置に配置され、第２カバーが第４位置に配置される状態であって、プロセスカートリッジの離脱作業を開始した直後の状態を示す中央断面図である。図３Ｂは、図１に示すプリンタにおいて、第１カバーが第２位置に配置され、第２カバーが第４位置に配置される状態であって、プロセスカートリッジの離脱作業を完了した状態を示す中央断面図である。
【図４】図４Ａは、本発明の第２実施形態のプリンタの第１カバー、第２カバーおよび規制部材を示す側断面図であって、第１カバーが第１位置に配置され、第２カバーが第３位置に配置され、規制板が規制位置に配置される状態を示す。図４Ｂは、本発明の第２実施形態のプリンタの第１カバー、第２カバーおよび規制部材を示す側断面図であって、第１カバー係合部と規制板とが係合した直後の状態を示す。図４Ｃは、本発明の第２実施形態のプリンタの第１カバー、第２カバーおよび規制部材を示す側断面図であって、第１カバーが第２位置に配置され、第２カバーが第４位置に配置され、規制板が解除位置に配置される状態を示す。
【図５】図５Ａは、本発明の第３実施形態のプリンタの第１カバー、第２カバーおよび連動ユニットを示す側断面図であって、第１カバーが第１位置に配置され、第２カバーが第３位置に配置される状態を示す。図５Ｂは、本発明の第２実施形態のプリンタの第１カバー、第２カバーおよび連動ユニットを示す側断面図であって、第１カバーが第３位置に配置され、第２カバーが第４位置に配置される状態を示す。
【図６】図６Ａは、本発明の第１変形例のプリンタを示す中央断面図であって、第１カバーが第１位置に配置され、第２カバーが第３位置に配置される状態を示す。図６Ｂは、本発明の第１変形例のプリンタを示す中央断面図であって、第１カバーが第２位置に配置され、第２カバーが第４位置に配置される状態を示す。図６Ｃは、本発明の第２変形例のプリンタを示す中央断面図であって、第１カバーが第１位置に配置され、第２カバーが第３位置に配置される状態を示す。図６Ｄは、本発明の第２変形例のプリンタを示す中央断面図であって、第１カバーが第２位置に配置され、第２カバーが第４位置に配置される状態を示す。
【図７】図７Ａは、本発明の第３変形例のプリンタを示す中央断面図であって、第１カバーが第１位置に配置され、第２カバーが第３位置に配置される状態を示す。図７Ｂは、本発明の第３変形例のプリンタを示す中央断面図であって、第１カバーが第２位置に配置され、第２カバーが第４位置に配置される状態を示す。図７Ｃは、本発明の第４変形例のプリンタを示す中央断面図であって、第１カバーが第１位置に配置され、第２カバーが第３位置に配置される状態を示す。図７Ｄは、本発明の第４変形例のプリンタを示す中央断面図であって、第１カバーが第２位置に配置され、第２カバーが第４位置に配置される状態を示す。
【発明を実施するための形態】
【００４３】
１．プリンタの全体構成
図１に示すように、画像形成装置の一例としてのプリンタ１は、電子写真方式のモノクロプリンタである。プリンタ１は、筐体の一例としての本体ケーシング２と、給紙部３と、画像形成部４と、排紙部５とを備えている。
【００４４】
なお、以下の説明において、方向について言及する場合には、プリンタ１を水平に載置した状態を上下の基準とする。具体的には、図１の方向矢印を基準とする。すなわち、図１の紙面上方が上方であり、紙面下方が下方である。また、図１における紙面右方を前方とし、図１における紙面左方を後方とする。また、プリンタ１を前方から見たときを左右の基準とする。すなわち、図１の紙面手前が左方であり、紙面奥が右方である。なお、前後方向が、着脱方向の一例である。
【００４５】
本体ケーシング２は、略ボックス形状を有している。本体ケーシング２は、第１開口６と、第２開口７と、第１カバー８と、第２カバー９とを有している。
【００４６】
第１開口６は、本体ケーシング２の上側部分に配置されている。第１開口６は、本体ケーシング２の前壁を前後方向に貫通している。なお、本体ケーシング２の前面が一側面の一例である。
【００４７】
第２開口７は、本体ケーシング２の下側部分に配置されており、第１開口６の下方に配置されている。すなわち、第２開口７は、第１開口６と上下方向において並んでいる。第２開口７は、本体ケーシング２の前壁を前後方向に貫通しており、第１開口６と連通して、上下方向において１つの大きな開口となっている。
【００４８】
第１カバー８は、その上端部を支点として、本体ケーシング２の前壁に揺動可能に支持されている。第１カバー８は、第１開口６を開放または閉鎖する。
【００４９】
第２カバー９は、第１カバー８の下方に配置されている。すなわち、第２カバー９は、第１カバー８と上下方向において並んでいる。第２カバー９は、その下端部を支点として、本体ケーシング２の前壁に揺動可能に支持されている。第２カバー９は、第２開口７を開放または閉鎖する。
【００５０】
給紙部３は、本体ケーシング２内の底部に配置されている。
【００５１】
給紙部３は、給紙トレイ１１を備えている。給紙トレイ１１は、平面視略矩形の平板形状を有しており、用紙Ｐが複数枚載置されている。
【００５２】
画像形成部４は、本体ケーシング２内において給紙部３の上方に配置されている。画像形成部４は、カートリッジの一例としてのプロセスカートリッジ１２と、転写ローラ１３と、露光部材の一例としてのＬＥＤユニット１４と、定着ユニット１５とを備えている。
【００５３】
プロセスカートリッジ１２は、第２開口７を介して、本体ケーシング２に対して装着または離脱するように構成されている。プロセスカートリッジ１２は、本体ケーシング２に装着された状態において、本体ケーシング２の上下方向略中央に配置されている。
【００５４】
プロセスカートリッジ１２は、ドラムカートリッジ１６と、現像カートリッジ１７とを備えている。
【００５５】
ドラムカートリッジ１６は、ドラムフレーム２０と、感光ドラム２１と、スコロトロン型帯電器２２とを備えている。
【００５６】
ドラムフレーム２０は、その後端部において感光ドラム２１およびスコロトロン型帯電器２２を支持し、その前端部において現像カートリッジ１７を収容する有底枠形状を有している。
【００５７】
感光ドラム２１は、ドラムフレーム２０の後端部に配置されている。感光ドラム２１は、左右方向に延びる略円筒形状を有しており、ドラムフレーム２０に回転可能に支持されている。
【００５８】
スコロトロン型帯電器２２は、ドラムフレーム２０内において、感光ドラム２１の上方に配置され、感光ドラム２１と間隔を隔てて配置されている。
【００５９】
現像カートリッジ１７は、ドラムフレーム２０に離脱可能に装着されている。現像カートリッジ１７は、現像フレーム２５と、現像ローラ２６と、供給ローラ２７と、層厚規制ブレード２９とを備えている。
【００６０】
現像フレーム２５は、左右方向に延びる略ボックス形状を有しており、その後端部は、前後方向に開放されている。また、現像フレーム２５は、現像剤の一例としてのトナーを収容している。
【００６１】
現像ローラ２６は、現像フレーム２５の後端部に配置されている。現像ローラ２６は、左右方向に延びる略円柱形状を有しており、現像フレーム２５に回転可能に支持されている。また、現像ローラ２６の上方部分および後方部分は、現像フレーム２５から露出しており、現像ローラ２６の後上端部は、感光ドラム２１の前下端部と接触している。
【００６２】
供給ローラ２７は、現像フレーム２５内において、現像ローラ２６の前下方に配置されている。供給ローラ２７は、左右方向に延びる略円柱形状を有しており、現像フレーム２５に回転可能に支持されている。供給ローラ２７の後上端部は、現像ローラ２６の前下端部に接触している。
【００６３】
層厚規制ブレード２９は、現像ローラ２６の前上方に配置されており、現像フレーム２５に固定されている。層厚規制ブレード２９の下端部は、現像ローラ２６の前端部に接触している。
【００６４】
転写ローラ１３は、本体ケーシング２内においてプロセスカートリッジ１２の後方に配置されている。転写ローラ１３は、左右方向に延びる略円柱形状を有しており、本体ケーシング２に回転可能に支持されている。転写ローラ１３の前上端部は、感光ドラム２１の後下端部と接触している。
【００６５】
ＬＥＤユニット１４は、本体ケーシング２内において、プロセスカートリッジ１２の上方に配置されている。
【００６６】
定着ユニット１５は、本体ケーシング２内において、プロセスカートリッジ１２の後上方に間隔を空けて配置されている。定着ユニット１５は、加熱ローラ３０と、加熱ローラ３０に対して後方から接触する加圧ローラ３１とを備えている。
【００６７】
排紙部５は、定着ユニット１５の前上方に配置されており、本体ケーシング２内の上側に配置されている。排紙部５は、１対の排紙ローラ３２と、排紙トレイ３３とを備えている。
【００６８】
１対の排紙ローラ３２のそれぞれは、本体ケーシング２内において、定着ユニット１５の前上方に間隔を隔てて位置している。１対の排紙ローラ３２のそれぞれは、互いに接触している。
【００６９】
排紙トレイ３３は、１対の排紙ローラ３２の前方に配置されている。排紙トレイ３３は、平面視略矩形の平板形状を有しており、後下方と前上方とを結ぶ方向に沿って延びている。
【００７０】
そして、プリンタ１において、画像形成動作が開始されると、スコロトロン型帯電器２２が、感光ドラム２１の表面を一様に帯電する。その後、ＬＥＤユニット１４が、画像データに基づいて感光ドラム２１の表面を露光する。これにより、画像データに基づく静電潜像が、感光ドラム２１の表面に形成される。
【００７１】
また、供給ローラ２７は、トナーを現像ローラ２６に供給する。このとき、トナーは、現像ローラ２６と供給ローラ２７との間で正極性に摩擦帯電され、現像ローラ２６上に担持される。層厚規制ブレード２９は、現像ローラ２６上に担持されたトナーを一定厚さに規制する。そして、現像ローラ２６は、一定厚みとして担持するトナーを感光ドラム２１の表面上の静電潜像に供給する。これにより、感光ドラム２１の表面上にトナー像が担持される。
【００７２】
用紙Ｐは、給紙トレイ１１から、各種ローラの回転により、所定のタイミングで１枚ずつ、感光ドラム２１と転写ローラ１３との間に給紙される。感光ドラム２１上のトナー像は、感光ドラム２１と転写ローラ１３との間を通過するときに、用紙Ｐに転写される。
【００７３】
その後、用紙Ｐは、定着ユニット１５を経て、１対の排紙ローラ３２に向かうように搬送される。このとき、用紙Ｐは、加熱ローラ３０と加圧ローラ３１との間を通過するときに加熱および加圧される。これにより、用紙Ｐ上のトナー像は、用紙Ｐに熱定着される。その後、用紙Ｐは、１対の排紙ローラ３２により、後方から前方に向かって排紙トレイ３３上に排紙される。
【００７４】
このように用紙Ｐは、プリンタ１の画像形成動作において、給紙トレイ１１から排紙トレイ３３へ、側面視略Ｃ字状の搬送経路に沿って搬送される。
２．本体ケーシングの詳細
本体ケーシング２は、１対のＬＥＤガイド４０と、ガイド部の一例としての１対のカートリッジガイド４１と、上記した第１カバー８と、上記した第２カバー９とを備えている。
（１）ＬＥＤガイド
１対のＬＥＤガイド４０のそれぞれは、本体ケーシング２の両側壁のそれぞれの左右方向内側面において上下方向略中央部に配置されている。１対のＬＥＤガイド４０のそれぞれは、上ＬＥＤガイド４２と、下ＬＥＤガイド４３とを備えている。
【００７５】
上ＬＥＤガイド４２は、本体ケーシング２の側壁の左右方向内側面において、上下方向略中央部に配置されている。上ＬＥＤガイド４２は、本体ケーシング２の側壁の左右方向内側面から左右方向内方に向かって突出しており、後側から前側へ向かって上方向へ延びている。
【００７６】
下ＬＥＤガイド４３は、上ＬＥＤガイド４２の下方に間隔を隔てて配置されている。下ＬＥＤガイド４３は、本体ケーシング２の側壁の左右方向内側面から左右方向内方に向かって突出し、後側から前側へ向かって上方向へ延びており、上ＬＥＤガイド４２と平行するように延びている。
（２）カートリッジガイド
１対のカートリッジガイド４１のそれぞれは、本体ケーシング２の両側壁のそれぞれの左右方向内側面において上下方向略中央部に配置されており、１対のＬＥＤガイド４０のそれぞれの下方に配置されている。１対のカートリッジガイド４１のそれぞれは、前方が開放された側面視略コ字形状を有している。１対のカートリッジガイド４１のそれぞれは、係止部４５と、上カートリッジガイド４６と、下カートリッジガイド４７とを備えている。
【００７７】
係止部４５は、本体ケーシング２の側壁の左右方向内側面において、上下方向略中央部に配置されており、ＬＥＤガイド４０の後下方に間隔を隔てて配置されている。係止部４５は、本体ケーシング２の側壁の左右方向内側面から左右方向内方に向かって突出しており、上下方向に沿って延びている。
【００７８】
上カートリッジガイド４６は、係止部４５の前方に配置されている。上カートリッジガイド４６は、本体ケーシング２の側壁の左右方向内側面から左右方向内方に向かって突出しており、係止部４５の上端から略前方に向かって延びている。詳しくは、上カートリッジガイド４６は、係止部４５の上端から前方に向かって延びた後、前下方に向かって延びている。上カートリッジガイド４６の前端は、本体ケーシング２の略中央部から第２開口７に向かって延びている。詳しく述べると、第２カバー９を閉鎖した状態において、上カートリッジガイド４６の前端部は、上下方向において、第２カバー９の上端部よりも下側に配置されている。
【００７９】
下カートリッジガイド４７は、係止部４５の前方に配置されている。下カートリッジガイド４７は、本体ケーシング２の側壁の左右方向内側面から左右方向内方に向かって突出し、係止部４５の下端から略前方に向かって延びており、上カートリッジガイド４６と平行するように延びている。詳しくは、下カートリッジガイド４７は、係止部４５の下端から前方に向かって延びた後、前下方に向かって延びている。下カートリッジガイド４７の前端は、本体ケーシング２の略中央部から第２開口７に向かって延びている。詳しく述べると、第２カバー９を閉鎖した状態において、下カートリッジガイド４７の前端部は、上下方向において、第２カバー９の上端部よりも下側に配置されており、さらに、上カートリッジガイド４６の前端部よりも下側に配置されている。
（３）第１カバー
第１カバー８は、本体ケーシング２の前端部であって、上下方向中央部より上方に配置されている。第１カバー８は、側面視略Ｌ字形状を有しており、第１カバー部５１と、第１軸の一例としての第１軸部５２と、１対の第１カバー係合部５３とを備えている。なお、以下の第１カバー８の説明においては、第１カバー８が第１開口６を閉鎖した状態を基準とする。
【００８０】
第１カバー部５１は、正面視略矩形の平板形状を有しており、上下方向に沿って延びている。詳しくは、第１カバー部５１は、その上端部が前後方向に延び、上端部における前端部から下方に向かって延びる側面視略Ｌ字形状を有している。また、第１カバー部５１の下端部５１Ａは、第１規制部の一例としての第１凹部５４を有している。なお、第１カバー部５１の下端部５１Ａは、第１カバー部５１における第２開口７側の遊端部である。
【００８１】
第１凹部５４は、第１カバー部５１の下端部５１Ａの後端面から前方に向かって窪んでいる。
【００８２】
また、第１カバー部５１は、制御基板５８を支持している。
【００８３】
制御基板５８は、後述するＬＥＤ７７を制御するための基板であって、第１カバー部５１の後面に支持されている。
【００８４】
第１軸部５２は、第１カバー部５１の上端部における左右方向両端部から左右方向外方に向かって突出している。第１軸部５２は、左右方向に延びる略円柱形状を有している。第１軸部５２の左右方向両端部は、本体ケーシング２の両側壁に回転可能に支持されている。
【００８５】
１対の第１カバー係合部５３のそれぞれは、第１カバー部５１の上下方向中央部における左右方向両端部のそれぞれの後面に配置されている。１対の第１カバー係合部５３のそれぞれは、突出部５５と、カバー側軸部５６とを備えている。
【００８６】
１対の突出部５５のそれぞれは、第１カバー部５１の上下方向中央部における左右方向両端部のそれぞれの後面から後方に向かって突出している。
【００８７】
１対のカバー側軸部５６のそれぞれは、１対の突出部５５のそれぞれの後端部から左右方向内方に向かって突出している。カバー側軸部５６は、左右方向に延びる略円柱形状を有している。
（４）第２カバー
第２カバー９は、本体ケーシング２の前端部であって、上下方向中央部より下方に配置されており、第１カバー８の下方に配置されている。第２カバー９は、側面視略Ｉ字形状を有しており、第２カバー部６１と、第２軸の一例としての第２軸部６２とを備えている。なお、以下の第２カバー９の説明においては、第２カバー９が第２開口７を閉鎖した状態を基準とする。
【００８８】
第２カバー部６１は、正面視略矩形の平板形状を有しており、上下方向に沿って延びている。第２カバー部６１の上下方向の大きさは、第１カバー８の第１カバー部５１の上下方向の大きさよりも大きい。第２カバー部６１の上端部６１Ａは、第２凹部６３を有している。
【００８９】
第２凹部６３は、第２カバー部６１の上端部６１Ａの前端面から後方に向かって窪んでいる。第２凹部６３は、第１カバー部５１の第１凹部５４と重なっている。詳しくは、第２凹部６３は、前後方向に見たときに、第１凹部５４と重なっており、かつ、第１凹部５４の後方に配置されている。
【００９０】
第２軸部６２は、第２カバー部６１の下端部における左右方向両端部から左右方向外方に向かって突出している。第２軸部６２は、左右方向に延びる略円柱形状を有している。第２軸部６２の左右方向両端部は、本体ケーシング２の両側壁に回転可能に支持されている。
３．ＬＥＤユニットの詳細
上記したＬＥＤユニット１４は、第１カバー８の後方に配置されており、１対の接続部７１と、ヘッド部７２とを備えている。
【００９１】
１対の接続部７１は、第１カバー８の後方に配置されている。１対の接続部７１のそれぞれは、後下方と前上方とを結ぶ方向に沿って延びる略棒形状を有している。１対の接続部７１のそれぞれは、第１穴７３と、第２穴７４とを有している。
【００９２】
１対の第１穴７３のそれぞれは、１対の接続部７１のそれぞれの前上端部に配置されている。１対の第１穴７３のそれぞれは、側面視略円形状を有しており、１対の接続部７１のそれぞれを左右方向に貫通している。１対の第１穴７３のそれぞれは、第１カバー８における１対のカバー側軸部５６のそれぞれに相対回転可能に嵌められている。
【００９３】
１対の第２穴７４のそれぞれは、１対の接続部７１のそれぞれの後下端部に配置されている。１対の第２穴７４のそれぞれは、側面視略円形状を有しており、１対の接続部７１のそれぞれを左右方向に貫通している。
【００９４】
ヘッド部７２は、１対の接続部７１の後下端部から後下方に向かって延びている。ヘッド部７２は、ヘッド支持部７５と、１対のＬＥＤ側軸部７６と、ＬＥＤ７７とを備えている。
【００９５】
ヘッド支持部７５は、１対の接続部７１の後下方に配置されている。ヘッド支持部７５は、後下方と前上方とを結ぶ方向に沿って延びる略矩形平板形状を有している
１対のＬＥＤ側軸部７６のそれぞれは、ヘッド支持部７５の前上端部の左右方向両端部から左右方向外方に向かって突出している。１対のＬＥＤ側軸部７６のそれぞれは、左右方向に延びる略円柱形状を有している。１対のＬＥＤ側軸部７６のそれぞれは、１対の接続部７１のそれぞれの第２穴７４に相対回転可能に挿通されている。
【００９６】
ＬＥＤ７７は、ヘッド支持部７５の後下端部に取り付けられている。ＬＥＤ７７は、左右方向に並ぶ列が上下方向に複数列配置されるアレイ状を有している。
４．第１カバー、第２カバーおよびＬＥＤユニットの動作
本体ケーシング２にプロセスカートリッジ１２が装着された状態においては、感光ドラム２１の両端部のそれぞれは、１対のカートリッジガイド４１のそれぞれの後端部に配置されている。詳しくは、感光ドラム２１の両端部のそれぞれは、１対のカートリッジガイド４１のそれぞれにおける上カートリッジガイド４６と１対のカートリッジガイド４１のそれぞれにおける下カートリッジガイド４７との間に配置され、かつ、１対のカートリッジガイド４１のそれぞれにおける係止部４５の前方に配置されている。
【００９７】
また、第１開口６および第２開口７が、第１カバー８および第２カバー９によって閉鎖された状態おいては、ＬＥＤユニット１４のＬＥＤ側軸部７６の両端部のそれぞれは、１対のＬＥＤガイド４０のそれぞれの後端部に配置されている。詳しくは、ＬＥＤ側軸部７６の両端部のそれぞれは、１対のＬＥＤガイド４０のそれぞれにおける上ＬＥＤガイド４２の後端部と、１対のＬＥＤガイド４０のそれぞれにおける上ＬＥＤガイド４２の後端部との間に配置されている。
【００９８】
また、上記したように、第１カバー８の第１カバー部５１の第１凹部５４は、第２カバー９の第２カバー部６１の第２凹部６３と重なっており、第１カバー８の第１カバー部５１の下端部５１Ａは、第２カバー９の第２カバー部６１の上端部６１Ａの前方に配置されている。
【００９９】
これにより、第１開口６および第２開口７が、第１カバー８および第２カバー９によって閉鎖された状態から、第２カバー９のみを前方に向かって回転しても、第２カバー９の第２カバー部６１の上端部６１Ａが、第１カバー８の第１カバー部５１の下端部５１Ａに係合し、第２カバー９の回転が規制される。
【０１００】
なお、第１カバー８が第１開口６を閉鎖した状態における、第１カバー８の位置が第１位置である。また、第２カバー９が第２開口７を閉鎖した状態における、第２カバー９の位置が第３位置である。また、第１カバー８が第１開口６を閉鎖した状態における、ＬＥＤユニット１４の位置が照射位置である。ＬＥＤユニット１４が照射位置に配置される状態においては、ＬＥＤユニット１４のＬＥＤ７７は、感光ドラム２１の前上方に配置されており、感光ドラム２１に近接している。
【０１０１】
そして、本体ケーシング２からプロセスカートリッジ１２が離脱される場合には、図２Ａに示すように、まず、作業者によって、第１カバー８が前方に向かって回転され、第１開口６が完全に開放される。詳しくは、第１カバー部５１が、第１軸部５２を中心として前方に向かって回転される。
【０１０２】
すると、カバー側軸部５６によって、ＬＥＤユニット１４の接続部７１が前上方に向かって引っ張り上げられる。これにより、ＬＥＤユニット１４が、ＬＥＤガイド４０にガイドされながら、前上方に向かって移動される。詳しくは、ＬＥＤユニット１４は、ＬＥＤ側軸部７６の左右方向両端部のそれぞれを１対のＬＥＤガイド４０のそれぞれの上ＬＥＤガイド４２および下ＬＥＤガイド４３に沿わせるようにして、前上方に向かって移動される。すなわち、ＬＥＤユニット１４は、第１カバー８の開動作に伴って前上方に移動される。
【０１０３】
第１カバー８が第１開口６を完全に開放した状態においては、第１カバー８の第１カバー部５１は、後上方と前下方とを結ぶ方向に沿っている。また、ＬＥＤユニット１４のＬＥＤ側軸部７６の両端部のそれぞれは、１対のＬＥＤガイド４０のそれぞれの前端部に配置されている。詳しくは、ＬＥＤ側軸部７６の両端部のそれぞれは、１対のＬＥＤガイド４０のそれぞれにおける上ＬＥＤガイド４２の前端部と、１対のＬＥＤガイド４０のそれぞれにおける上ＬＥＤガイド４２の前端部との間に配置されている。そして、ＬＥＤユニット１４のＬＥＤ７７は、感光ドラム２１の前上方に間隔を隔てて配置されている。
【０１０４】
なお、第１カバー８が第１開口６を完全に開放した状態における、第１カバー８の位置が第２位置である。また、第１カバー８が第１開口６を完全に開放した状態における、ＬＥＤユニット１４の位置が退避位置である。ＬＥＤユニット１４は、退避位置に配置される状態において、後側半分部分が本体ケーシング２の内方に配置されている。より詳しくは、ＬＥＤユニット１４が退避位置に配置される状態において、ＬＥＤ７７は、本体ケーシング２の内方に配置されている。
【０１０５】
次いで、図２Ｂに示すように、第２カバー９が前方に向かって回転され、第２開口７が完全に開放される。詳しくは、第２カバー部６１が、第２軸部６２を中心として前方に向かって回転される。
【０１０６】
第２カバー９が第２開口７を完全に開放した状態においては、第２カバー９の第２カバー部６１は、前後方向に沿っている。なお、第２カバー９が第２開口７を完全に開放した状態における、第２カバー９の位置が第４位置である。
【０１０７】
その後、図３Ａに示すように、感光ドラム２１がカートリッジガイド４１にガイドされながら、プロセスカートリッジ１２が、前方に向かって移動される。詳しくは、感光ドラム２１の左右方向両端部のそれぞれが１対のカートリッジガイド４１のそれぞれの上カートリッジガイド４６および下カートリッジガイド４７に沿うようにして、プロセスカートリッジ１２が、前方に向かってわずかに移動される。
【０１０８】
さらに、図３Ｂに示すように、感光ドラム２１の左右方向両端部のそれぞれが１対のカートリッジガイド４１のそれぞれの上カートリッジガイド４６および下カートリッジガイド４７に沿うようにして、プロセスカートリッジ１２が、前下方に向かって移動され、プロセスカートリッジ１２が本体ケーシング２から完全に離脱される。
【０１０９】
このとき、上記したように、ＬＥＤユニット１４は、退避位置に配置されており、ＬＥＤ７７は、感光ドラム２１の前上方に間隔を隔てて配置されているため、プロセスカートリッジ１２とＬＥＤユニット１４とが干渉することなくプロセスカートリッジ１２が本体ケーシング２から離脱される。
【０１１０】
また、本体ケーシング２にプロセスカートリッジ１２が装着される場合には、図３Ａおよび図３Ｂに示すように、プロセスカートリッジ１２が、カートリッジガイド４１にガイドされながら、本体ケーシング２の前方から後方に向かって移動される。
【０１１１】
そして、図２Ａに示すように、第２カバー９が後方に向かって回転されて、第２開口７が閉鎖される。
【０１１２】
その後、図１に示すように、第１カバー８が後方に向かって回転されて、第１開口６が閉鎖される。
５．作用効果
（１）このプリンタ１によれば、図１に示すように、第１カバー８は、第１位置に配置されるときに、第１開口６を閉鎖し、第２位置に配置されるときに、第１開口６を開放する。また、第２カバー９は、第３位置に配置されるときに、第２開口７を閉鎖し、第４位置に配置されるときに、第２開口７を開放する。また、ＬＥＤユニット１４は、第１カバー８が第１位置に配置されるときに、照射位置に配置され、第１カバー８が第２位置に配置されるときに、退避地位置に配置される。
【０１１３】
そのため、第１カバー８を第１位置から第２位置に移動させることにより、ＬＥＤユニット１４を照射位置から退避位置に移動させることができる。そして、ＬＥＤユニット１４を退避位置に配置させてから、第２カバー９を第３位置から第４位置に移動し、本体ケーシング２に対してプロセスカートリッジ１２を着脱するため、ＬＥＤユニット１４がプロセスカートリッジ１２の着脱作業の妨げになることを抑制できる。
【０１１４】
また、本体ケーシング２にプロセスカートリッジ１２を装着した状態において、第１カバー８を第１位置に配置すれば、本体ケーシング２内にプロセスカートリッジ１２を配置しつつ、ＬＥＤユニット１４を照射位置に配置でき、ＬＥＤ７７を感光ドラム２１に近接させることができる。
【０１１５】
そのため、ＬＥＤユニット１４によって、感光ドラム２１を確実に露光できる。
【０１１６】
また、プリンタ１は、第１カバー８および第２カバー９の２つのカバーを備える。
【０１１７】
そのため、プリンタ１が１つのカバーのみを備える場合に比べて、第１カバー８および第２カバー９のそれぞれを小さく構成できる。
【０１１８】
その結果、第１カバー８および第２カバー９を開放したとき、すなわち、着脱作業におけるプロセスカートリッジ１２の視認性を向上できる。
【０１１９】
また、第１カバー８の第１カバー部５１の下端部５１Ａは、第１カバー８が第１位置に配置される状態において、第２カバー９が第３位置から第４位置に向かって移動することを規制する。すなわち、第２カバー９は、第１カバー８が第１位置から第２位置に向かって移動した後でなければ、第３位置から第４位置に向かって移動することができない。
【０１２０】
そのため、ＬＥＤユニット１４が照射位置に配置される状態において、プロセスカートリッジ１２が着脱されることを確実に防止できる。
（２）また、このプリンタ１によれば、図２Ｂに示すように、第１開口６と第２開口７とは、本体ケーシング２の前面において、上下方向に並んでいる。そして、第１カバー８が第１開口６を開閉し、第２カバー９が第２開口７を開閉する。
【０１２１】
そのため、第１カバー８および第２カバー９の開閉作業を容易に行うことができる。
（３）また、このプリンタ１によれば、図１に示すように、排紙部５では、前方に向かって用紙Ｐが排紙される。
【０１２２】
プリンタ１において、排紙部５が、前方以外の方向に向かって用紙Ｐが排紙される構成である場合には、第１カバー８および第２カバー９に対する作業は、本体ケーシング２の前方から行う一方、排紙された用紙Ｐの取り出し作業は、本体ケーシング２の前方以外に向き合って行う必要がある。そのため、プリンタ１における操作性が低くなるという不具合がある。
【０１２３】
一方、このプリンタ１によれば、第１カバー８および第２カバー９に対する作業に加えて、排紙された用紙Ｐの取り出し作業も、本体ケーシング２の前方から行うことができる。
【０１２４】
そのため、プリンタ１における操作性を向上できる。
（４）また、このプリンタ１によれば、図１に示すように、第１カバー８は、第２カバー９の上方に配置される。排紙部５は、本体ケーシング２の上側に配置される。
【０１２５】
そのため、排紙部５および第１カバー８への作業を上方から行うことができる。
【０１２６】
そのため、プリンタ１における操作性を一層向上できる。
（５）また、このプリンタ１によれば、図１に示すように、第１カバー８の第１カバー部５１の上下方向における大きさは、第２カバー９の第２カバー部６１の上下方向における大きさよりも小さい。
【０１２７】
そのため、第１カバー８を開放したときのプロセスカートリッジ１２の視認性を向上できる。
（６）また、このプリンタ１によれば、図１に示すように、第１カバー８が第１位置に配置される状態において、第１軸部５２は、第１カバー部５１の上端部に配置されている。また、第２カバー９が第３位置に配置される状態において、第２軸部６２は、第２カバー部６１の下端部に配置されている。
【０１２８】
そのため、第１カバー８を第２位置に配置した状態においては、第１カバー８がＬＥＤユニット１４の上部を覆う。
【０１２９】
その結果、第１カバー８がＬＥＤユニット１４の目隠しとなったり、埃よけの役割を果たしたりすることができる。
【０１３０】
また、第２カバー９を第４位置に配置した状態においては、第２カバー９がプロセスカートリッジ１２のガイドとしての役割を果たすことができる。
（７）また、このプリンタ１によれば、図２Ｂに示すように、第１開口６と第２開口７とは、連通している。
【０１３１】
そのため、第１カバー８と第２カバー９とを開放することにより、第１開口６と第２開口７とが連通した１つの大きな開口を形成できる。
【０１３２】
その結果、本体ケーシング２に対してプロセスカートリッジ１２を容易に着脱できる。
（８）また、このプリンタ１によれば、図１に示すように、第１カバー８の第１カバー部５１の第１凹部５４は、第２カバー９の第２カバー部６１の第２凹部６３と重なっており、第１カバー８の第１カバー部５１の下端部５１Ａは、第２カバー９の第２カバー部６１の上端部６１Ａの前方に配置されている。
【０１３３】
そして、第１開口６および第２開口７が、第１カバー８および第２カバー９によって閉鎖された状態から、第２カバー９のみを前方に向かって回転しようとすると、第２カバー９の第２カバー部６１の上端部６１Ａが、第１カバー８の第１カバー部５１の下端部５１Ａに係合し、第２カバー９の回転が規制される。
【０１３４】
そのため、簡易な構成で、第２カバー９の第３位置から第４位置への移動を規制できる。
（９）また、このプリンタ１によれば、図１に示すように、１対のカートリッジガイド４１のそれぞれの上カートリッジガイド、および、１対のカートリッジガイド４１のそれぞれの下カートリッジガイド４７は、本体ケーシング２の略中央部から第２開口７に向かって延びている。
【０１３５】
そのため、１対のカートリッジガイド４１に沿って、本体ケーシング２に対してプロセスカートリッジ１２を容易に着脱できる。
（１０）また、このプリンタ１によれば、図１に示すように、制御基板５８は、第１カバー８に支持される。
【０１３６】
そのため、ＬＥＤ７７と制御基板５８との間の電気的な接続距離を短くできる。
【０１３７】
その結果、制御基板５８によるＬＥＤ７７の制御において、ノイズの発生を低減できる。
（１１）また、このプリンタ１によれば、図２Ａに示すように、ＬＥＤユニット１４は、退避位置に配置される状態において、後側半分部分が本体ケーシング２の内方に配置されている。より詳しくは、ＬＥＤユニット１４が退避位置に配置される状態において、ＬＥＤ７７は、本体ケーシング２の内方に配置されている。
【０１３８】
そのため、ＬＥＤユニット１４、より詳しくは、ＬＥＤ７７が作業者に触れられることを抑制できる。
（１２）また、このプリンタ１によれば、図３Ｂに示すように、感光ドラム２１は、プロセスカートリッジ１２に備えられ、プロセスカートリッジ１２と一体的に本体ケーシング２に離脱される。
【０１３９】
そのため、本体ケーシング２からプロセスカートリッジ１２を離脱させた状態において、感光ドラム２１を交換することにより、感光ドラム２１を容易に交換できる。
６．第２実施形態および第３実施形態
図４Ａ〜図５Ｂを参照して、プリンタの第２実施形態および第３実施形態を説明する。なお、以下において、上記第１実施形態と同様の部材には同様の符号を付し、その説明を省略する。
（１）第２実施形態
（１−１）第２実施形態の本体ケーシング内の構成の詳細
上記した第１実施形態では、第１カバー８が第１位置に配置され、第２カバー９が第３位置に配置された状態において、第２カバー９が第３位置から第４位置に向かって移動しようとすると、第２カバー９の第２カバー部６１の上端部６１Ａが、第１カバー８の第１カバー部５１の下端部５１Ａに係合し、第２カバー９の回転が規制される。
【０１４０】
対して、第２実施形態では、図４Ａに示すように、プリンタ１は、１対の規制部材１００を備えており、第２カバー９の第３位置から第４位置に向かう移動は、１対の規制部材１００によって規制される。
【０１４１】
詳しくは、第２実施形態では、本体ケーシング２内に１対の規制部材１００が備えられている。１対の規制部材１００のそれぞれは、第１カバー８の左右方向両端部のそれぞれの後方に配置されている。
【０１４２】
１対の規制部材１００のそれぞれは、第２規制部の一例としての規制板１０１と、ばね１０２とを備えている。
【０１４３】
規制板１０１は、正面視略矩形の平板形状を有しており、その上端部が上方に向かうにつれて後方に向かうように傾斜している。規制板１０１は、図示しないガイドによって、本体ケーシング２内において上下方向にスライド移動可能に支持されている。規制板１０１は、挿通穴１０３を有している。
【０１４４】
挿通穴１０３は、規制板１０１の下端部に配置されている。挿通穴１０３は、規制板１０１を前後方向に貫通している。規制板１０１における挿通穴１０３の下端縁の内周面には、係合突起１０４が配置されている。
【０１４５】
係合突起１０４は、規制板１０１における挿通穴１０３の下端縁の内周面から上方に向かって突出している。
【０１４６】
ばね１０２は、規制板１０１の下方に配置されている。ばね１０２は、圧縮コイルばねである。ばね１０２は、その上端部が規制板１０１の下端面に係合し、その下端部が本体ケーシング２に係合しており、圧縮状態で、規制板１０１と、本体ケーシング２との間に介在されている。
【０１４７】
これにより、１対の規制部材１００のそれぞれにおいて、規制板１０１は、常には、上方に向かって付勢されている。
【０１４８】
また、第２実施形態では、第１カバー８は、１対のカバー係合部１１０を備えており、第２カバー９は、１対の第２カバー係合部１２０を備えている。なお、以下の１対のカバー係合部１１０、および、１対の第２カバー係合部１２０の構成の説明においては、第１カバー８が第１位置に配置され、第２カバー９が第３位置に配置される状態を基準として説明する。
【０１４９】
１対のカバー係合部１１０のそれぞれは、第１カバー部５１の左右方向両端部のそれぞれの上端部から後方に向かって延びている。具体的には、１対のカバー係合部１１０のそれぞれは、前後方向に延びる略棒形状を有しており、後方に向かうにつれて上下方向に拡がる側面視略台形状を有している。１対のカバー係合部１１０のそれぞれは、１対の規制部材１００のそれぞれの上方に配置されている。なお、１対のカバー係合部１１０のそれぞれの下方面が第１係合面１１０Ａであり、１対のカバー係合部１１０のそれぞれの後方面が第２係合面１１０Ｂである。
【０１５０】
１対の第２カバー係合部１２０のそれぞれは、第２カバー部６１の左右方向両端部のそれぞれの上端部に配置されている。１対の第２カバー係合部１２０のそれぞれは、突出部１２１と、接触部１２２とを備えている。
【０１５１】
１対の突出部１２１のそれぞれは、第２カバー部６１の左右方向両端部のそれぞれの上端部の後面から後方に向かって突出している。１対の突出部１２１のそれぞれは、前後方向に延びる略棒形状を有している。
【０１５２】
１対の接触部１２２のそれぞれは、１対の突出部１２１のそれぞれの後端部から後方に向かって突出する略鉤形状を有している。具体的には、１対の接触部１２２のそれぞれは、側面視略三角形状を有しており、その下端部は、１対の突出部１２１のそれぞれの下端部よりも下方に配置されている。
（１−２）第２実施形態における第１カバーおよび第２カバーの動作
第１カバー８が第１位置に配置され、第２カバー９が第２位置に配置された状態においては、１対の第２カバー係合部１２０のそれぞれは、１対の規制板１０１のそれぞれの挿通穴１０３を挿通している。また、１対の第２カバー係合部１２０のそれぞれの接触部１２２は、１対の規制板１０１のそれぞれの係合突起１０４の後方に配置されている。なお、第１カバー８が第１位置に配置される状態における１対の規制板１０１の位置が規制位置である。
【０１５３】
これにより、第２カバー部６１を、第２軸部６２を中心として前方に向かって回転させようとすると、１対の第２カバー係合部１２０のそれぞれの接触部１２２が、１対の規制板１０１のそれぞれの係合突起１０４に係合する。そのため、第２カバー部６１の前方に向かう回転、すなわち、第２カバー９の第３位置から第４位置に向かう移動が規制される。
【０１５４】
そして、第１カバー部５１を、第１軸部５２を中心として前方に向かって回転させると、図４Ｂに示すように、１対のカバー係合部１１０のそれぞれの第１係合面１１０Ａが、１対の規制板１０１のそれぞれの上端部に接触し、１対の規制板１０１のそれぞれを下方に向かって押圧する。
【０１５５】
すると、１対の規制板１０１のそれぞれは、１対のばね１０２のそれぞれの付勢力に抗して下方に移動する。
【０１５６】
さらに、第１カバー部５１を、第１軸部５２を中心として前方に向かって回転させて、図４Ｃに示すように、第１カバー８を第２位置に配置させると、１対のカバー係合部１１０のそれぞれの第１係合面１１０Ａが、１対の規制板１０１のそれぞれを下方に向かって押圧することにより、１対の規制板１０１のそれぞれが、さらに下方に移動する。
【０１５７】
第１カバー８が第２位置に配置された状態では、１対の規制板１０１のそれぞれの係合突起１０４は、１対の第２カバー係合部１２０のそれぞれの接触部１２２よりも下方に配置される。
【０１５８】
これにより、第１カバー８が第２位置に配置された状態から、第２カバー９を第３位置から第４位置に向かって移動させると、１対の第２カバー係合部１２０のそれぞれの接触部１２２が１対の規制板１０１のそれぞれに干渉することなく、第２カバー９が、仮想線で示す第４位置に移動する。なお、第１カバー８が第２位置に配置される状態における１対の規制板１０１の位置が解除位置である。
（１−３）第２実施形態の作用効果
第２実施形態のプリンタ１によれば、第１実施形態と同様の作用効果を得ることができる。
【０１５９】
また、第２実施形態のプリンタ１によれば、図４Ａに示すように、１対の規制板１０１は、第１カバー８が第２位置に配置されるときに、規制位置から解除位置に移動する。
【０１６０】
そのため、第１カバー８が第１位置から第２位置に配置されるまでの間、すなわち、ＬＥＤユニット１４が照射位置から退避位置に配置されるまでの間において、第２カバー９が第３位置から第４位置に向かって移動することを、１対の規制板１０１によって規制できる。
【０１６１】
その結果、プロセスカートリッジ１２の着脱作業において、プロセスカートリッジ１２とＬＥＤユニット１４とが干渉することを確実に防止できる。
【０１６２】
よって、ＬＥＤユニット１４がプロセスカートリッジ１２の着脱作業の妨げになることを一層抑制できる。
（２）第３実施形態
（２−１）第３実施形態の本体ケーシング内の構成の詳細
上記した第１実施形態では、第１カバー８および第２カバー９のそれぞれは、それぞれ独立して移動する。
【０１６３】
対して、第３実施形態では、図５Ａに示すように、プリンタ１は、連動ユニット１５０を備えており、第１カバー８の移動と、第２カバー９の移動とは連動する。
【０１６４】
詳しくは、第３実施形態では、本体ケーシング２内に連動部の一例としての連動ユニット１５０が備えられている。
【０１６５】
連動ユニット１５０は、本体ケーシング２内において、左右のいずれか一方に配置されている。連動ユニット１５０は、第１ギア１５１と、第２ギア１５２と、上下ギア１５３と、第１円弧ギア１５４と、第２円弧ギア１５５とを備えている。
【０１６６】
第１ギア１５１は、第１カバー８の後方に配置されている。第１ギア１５１は、左右方向に延びる略円柱形状を有している。第１ギア１５１は、本体ケーシング２内において、左右方向に延びる軸線を中心として回転可能に支持されている。第１ギア１５１は、第１大径ギア部１５６と、第１小径ギア部１５７とを備えている。
【０１６７】
第１大径ギア部１５６は、第１ギア１５１の左側半分部分であって、左右方向に延びる略円柱形状を有している。第１大径ギア部１５６は、その周面にわたってギア歯を有している。
【０１６８】
第１小径ギア部１５７は、第１ギア１５１の右側半分部分であって、第１大径ギア部１５６の右面から右方に突出している。第１小径ギア部１５７は、左右方向に延びる略円柱形状を有している。第１小径ギア部１５７の外径は、第１大径ギア部１５６の外径よりも小さい。第１小径ギア部１５７は、その周面にわたってギア歯を有している。
【０１６９】
第２ギア１５２は、第２カバー９の後方に配置されている。第２ギア１５２は、左右方向に延びる略円柱形状を有している。第２ギア１５２は、本体ケーシング２内において、左右方向に延びる軸線を中心として回転可能に支持されている。第２ギア１５２は、第２大径ギア部１５８と、第２小径ギア部１５９とを備えている。
【０１７０】
第２大径ギア部１５８は、第２ギア１５２の左側半分部分であって、左右方向に延びる略円柱形状を有している。第２大径ギア部１５８は、その周面にわたってギア歯を有している。
【０１７１】
第２小径ギア部１５９は、第２ギア１５２の右側半分部分であって、第２大径ギア部１５８の右面から右方に突出している。第２小径ギア部１５９は、左右方向に延びる略円柱形状を有している。第２小径ギア部１５９の外径は、第２大径ギア部１５８の外径よりも小さい。第２小径ギア部１５９は、その周面にわたってギア歯を有している。
【０１７２】
上下ギア１５３は、第１ギア１５１および第２ギア１５２の後方に配置されている。上下ギア１５３は、上下方向に延びる略棒形状を有している。上下ギア１５３は、本体ケーシング２内において、上下方向にスライド移動可能に支持されている。上下ギア１５３は、その前面にわたってギア歯を有している。上下ギア１５３のギア歯は、第１ギア１５１の第１小径ギア部１５７のギア歯、および、第２小径ギア部１５９のギア歯に噛み合っている。
【０１７３】
第１円弧ギア１５４は、第１カバー８の後方であって、上下ギア１５３の左方に配置されている。第１円弧ギア１５４は、側面視略４分の１円環形状を有しており、下方に向かって湾曲している。第１円弧ギア１５４の前端部は、第１カバー８の後面の上下方向中央部に取り付けられている。第１円弧ギア１５４は、その上面にわたってギア歯を有している。第１円弧ギア１５４のギア歯は、第１大径ギア部１５６のギア歯に噛み合っている。
【０１７４】
第２円弧ギア１５５は、第２カバー９の後方であって、上下ギア１５３の左方に配置されている。第２円弧ギア１５５は、側面視略４分の１円環形状を有しており、上方に向かって湾曲している。第２円弧ギア１５５の前端部は、第２カバー９の後面の上下方向中央部に取り付けられている。第２円弧ギア１５５は、その上面にわたってギア歯を有している。第２円弧ギア１５５のギア歯は、第２大径ギア部１５８のギア歯に噛み合っている。
（２−２）第３実施形態における第１カバーおよび第２カバーの動作
第１カバー８が第１位置に配置され、第２カバー９が第２位置に配置された状態から、図５Ｂに示すように、第１カバー８を第１位置から第２位置に向かって移動させると、すなわち、第１カバー部５１を、第１軸部５２を中心として前方に向かって回転させると、第１円弧ギア１５４が、第１カバー部５１とともに、第１軸部５２を中心として前方に向かって回転する。
【０１７５】
すると、第１ギア１５１は、左側面視反時計回り方向に回転し、上下ギア１５３は、下方に向かって移動する。さらに、第２ギア１５２は、左側面視反時計回り方向に回転し、第２円弧ギア１５５は、第２軸部６２を中心として前方に向かって回転する。そして、第２カバー部６１が、第２軸部６２を中心として前方に向かって回転し、第２カバー９が第４位置に配置される。
【０１７６】
また、第１カバー８を第２位置から第１位置に向かって移動させると、すなわち、第１カバー部５１を、第１軸部５２を中心として後方に向かって回転させると、第１円弧ギア１５４が、第１カバー部５１とともに、第１軸部５２を中心として後方に向かって回転する。
【０１７７】
すると、第１ギア１５１は、左側面視時計回り方向に回転し、上下ギア１５３は、上方に向かって移動する。さらに、第２ギア１５２は、左側面視時計回り方向に回転し、第２円弧ギア１５５は、第２軸部６２を中心として後方に向かって回転する。そして、第２カバー部６１が、第２軸部６２を中心として後方に向かって回転し、図５Ａに示すように、第２カバー９が第３位置に配置される。
【０１７８】
このように、連動ユニット１５０によって、第１カバー８の移動と、第２カバー９の移動とは連動される。そして、第１カバー８を第１位置から第２位置に向かって移動させると、第２カバー９は、第３位置から第４位置に向かって移動する。同様に、第２カバー９を第３位置から第４位置に向かって移動させると、第１カバー８は、第１位置から第２位置に向かって移動する。
（２−３）第３実施形態の作用効果
第３実施形態のプリンタ１によれば、第１実施形態と同様の作用効果を得ることができる。
【０１７９】
また、第３実施形態のプリンタ１によれば、図５Ａに示すように、連動ユニット１５０によって、第１カバー８における第１位置と第２位置との間の移動と、第２カバー９における第３位置と第４位置との間の移動とは連動される。
【０１８０】
そのため、第２カバー９が第３位置から第４位置に移動するときには、連動ユニット１５０によって、第１カバー８を確実に第１位置から第２位置に移動させることができる。
７．その他の変形例
上記実施形態では、第２カバー９において、第２軸部６２は、第２カバー部６１の下端部に配置されるが、図６Ａに示すように、第２軸部６２が、第２カバー部６１の上端部に配置されてもよい。
【０１８１】
そして、図６Ｂに示すように、第２開口７を開放するときは、第２カバー９の先端が下方から上方に向かうように、第２カバー９を回転させてもよい。
【０１８２】
また、図６Ｃに示すように、第１軸部５２が、第１カバー部５１の下端部に配置され、第２軸部６２が、第２カバー部６１の上端部に配置されてもよい。
【０１８３】
そして、図６Ｄに示すように、第１開口６を開放するときには、第１カバー８の先端が上方から下方に向かうように、第１カバー８を回転させ、第２開口７を開放するときには、第２カバー９の先端が下方から上方に向かうに、第２カバー９を回転させてもよい。
【０１８４】
また、図７Ａに示すように、第１開口６と第２開口７とは、仕切壁１７０を挟んで、上下方向に間隔を隔てて配置されてもよい。
【０１８５】
そして、第１カバー８および第２カバー９を前方に向かって回転させることにより、本体ケーシング２において、第１開口６および第２開口７の２つの開口を開放してもよい。
【０１８６】
また、図７Ｃに示すように、第１開口６が、本体ケーシング２の前面において下方側に配置され、第２開口７が、本体ケーシング２の前面において上方側に配置されてもよい。
【０１８７】
そして、図７Ｄに示すように、第１カバー８を前方に向かって回転させることにより、第１開口６を開放し、第２カバー９を前方に向かって回転させることにより第２開口７を開放してもよい。
【０１８８】
また、上記実施形態では、ドラムカートリッジ１６および現像カートリッジ１７は、一体的に本体ケーシング２に着脱されるが、ドラムカートリッジ１６および現像カートリッジ１７は、互いに別々に本体ケーシング２に着脱されてもよく、また、現像カートリッジ１７のみが本体ケーシング２に着脱されてもよい。
【符号の説明】
【０１８９】
１      プリンタ
２      本体ケーシング
５      排紙部
６      第１開口
７      第２開口
８      第１カバー
９      第２カバー
１２    プロセスカートリッジ
１４    ＬＥＤユニット
２１    感光ドラム
５１Ａ  下端部
５２    第１軸部
５８    制御基板
６２    第２軸部
１０１  規制板
１５０  連動ユニット
【図１】
0006421602.tif 000002
【図２】
0006421602.tif 000003
【図３】
0006421602.tif 000004
【図４】
0006421602.tif 000005
【図５】
0006421602.tif 000006
【図６】
0006421602.tif 000007
【図７】
0006421602.tif 000008